(57)【要約】【課題】アンテナが接続されている同軸プラグを操作性よく同軸リセプタクルに着脱できるアンテナ用コネクタを提供する。【解決手段】プラグ１は、内部導体１０Ａに接続するピンコンタクト１１と、外部導体１０Ｃに接続する筒形シェル１２と、筒形シェル１２に嵌装される第１プラグハウジング１３を備える。リセプタクル２は、ピンコンタクト１１が入る挿入穴２Ａと筒形シェル１２が入る環状溝２Ｂが形成される第１リセプタクルハウジング２１と、ピンコンタクト１１と接触する弾性コンタクト２３Ａと、筒形シェル１２に接触する第１グランドシェル２４を備える。プラグ１に備えられる第１円筒凸部１３Ａと、リセプタクル２に形成される第１円筒凹部２１Ａが嵌合することによりアンテナ付きプラグ１がリセプタクル２に接続される【選択図】      図１
2004356067.tif 000002
【特許請求の範囲】
【請求項１】
同軸ケーブルの一端にアンテナが接続されており、当該同軸ケーブルの他端にプラグが接続されており、当該プラグがリセプタクルに着脱されるアンテナ用コネクタであって、
前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第１プラグハウジングと、を備えており、
前記リセプタクルは、前記第１プラグハウジングから延出しているピンコンタクトが入る挿入穴と前記筒形シェルの挿入部が入る環状溝とが同心円状に形成されている絶縁性の第１リセプタクルハウジングと、前記挿入穴から突出した前記ピンコンタクトと接触する弾性コンタクトと、前記筒形シェルの挿入部の外周に接触する第１グランドシェルと、を備えており、
前記第１プラグハウジングは、前記第１リセプタクルハウジングへの挿入側端面に前記筒形シェルの内径より小さい直径の外周を有する第１円筒凸部を更に備えており、
前記第１リセプタクルハウジングは、前記第１円筒凸部と嵌め合わされる第１円筒凹部を前記挿入穴における前記プラグの挿入側に形成するとともに当該第１円筒凹部を当該挿入穴と同心円状に配置しており、
前記第１プラグハウジングの第１円筒凸部と前記第１リセプタクルハウジングの第１円筒凹部が嵌合することを特徴とするアンテナ用コネクタ。
【請求項２】
同軸ケーブルの一端にアンテナが接続されており、当該同軸ケーブルの他端にプラグが接続されており、当該プラグがリセプタクルに着脱されるアンテナ用コネクタであって、
前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第２プラグハウジングと、を備えており、
前記リセプタクルは、前記第２プラグハウジングから延出しているピンコンタクトが入る挿入穴と前記筒形シェルの挿入部が入る環状溝とが同心円状に形成されている絶縁性の第２リセプタクルハウジングと、前記挿入穴から突出した前記ピンコンタクトと接触する弾性コンタクトと、前記筒形シェルの挿入部の外周に接触する第１グランドシェルと、を備えており、
前記第２プラグハウジングは、前記第２リセプタクルハウジングへの挿入側端面に前記筒形シェルの内径より小さい直径の内径を有する第２円筒凹部を形成しており、
前記第２リセプタクルハウジングは、前記第２円筒凹部と嵌め合わされる第２円筒凸部を前記挿入穴における前記プラグの挿入側に更に備えるとともに当該第２円筒凸部を当該挿入穴と同心円状に配置しており、
前記第２プラグハウジングの第２円筒凹部と前記第２リセプタクルハウジングの第２円筒凸部が嵌合することを特徴とするアンテナ用コネクタ。
【請求項３】
請求項１又は２のいずれかに記載のアンテナ用コネクタにおいて、
前記筒形シェルは当該挿入部においてその外周に環状凹部を設けており、
前記第１グランドシェルは挿入される前記筒形シェルの外周を屈曲部で圧接する第１弾性接触片を備えており、
前記プラグを前記リセプタクルに挿入した状態では、前記第１弾性接触片における当該屈曲部が前記環状凹部に係止して前記プラグが前記リセプタクルから抜けるのを防止することを特徴とするアンテナ用コネクタ。
【請求項４】
請求項３記載のアンテナ用コネクタにおいて、
前記第１グランドシェルは挿入される前記筒形シェルの外周を対向して配置されている屈曲部で圧接する一対の第１弾性接触片を備えており、
前記プラグを前記リセプタクルに挿入した状態では、前記一対の第１弾性接触片における当該対向配置されている屈曲部が前記環状凹部に係止して前記プラグが前記リセプタクルから抜けるのを防止することを特徴とするアンテナ用コネクタ。
【請求項５】
請求項４記載のアンテナ用コネクタにおいて、
前記リセプタクルは、前記筒形シェルの挿入部の内周に接触する第２グランドシェルを更に備えており、
前記第２グランドシェルは、挿入される前記筒形シェルの内周を相反して配置されている屈曲部で圧接する一対の第２弾性接触片を備えており、
前記プラグを前記リセプタクルに挿入した状態では、前記筒形シェルの外周と内周は、前記第１グランドシェルにおける当該第１弾性接触片と、前記第２グランドシェルにおける当該第２弾性接触片で二重に接触されることを特徴とするアンテナ用コネクタ。
【請求項６】
請求項１から５のいずれかに記載のアンテナ用コネクタにおいて、
前記弾性コンタクトと組となって接触している固定コンタクトを前記リセプクル内に更に備えており、
前記ピンコンタクトが前記挿入穴に挿入されると、当該挿入穴から突出した当該ピンコンタクトによって当該弾性コンタクが変位することにより当該弾性コンタクトと前記固定コンタクトとの接触が解除されることを特徴とするアンテナ用コネクタ。
【請求項７】
請求項１から６のいずれかに記載のアンテナ用コネクタにおいて、無線ＬＡＮ用の情報機器において、外部アンテナを接続するために適用されることを特徴とするアンテナ用コネクタ。
【請求項８】
請求項１から６のいずれかに記載のアンテナ用コネクタにおいて、ＩＥＥＥ  ８０２．１１ａで規格されている固有性を有する高速無線ＬＡＮ用の外部アンテナ用コネクタであることを特徴とするアンテナ用コネクタ。
【発明の詳細な説明】
【０００１】
【発明の属する技術分野】
本発明は、アンテナ用コネクタに関する。本発明によるアンテナ用コネクタは、例えば、無線ＬＡＮ（Ｌｏｃａｌ  Ａｒｅａ  Ｎｅｔｗｏｒｋ）で通信するノート型パソコンの外部アンテナを接続するために用いられる。
【０００２】
【従来の技術】
オフィスや家庭において、無線ＬＡＮの機器、例えばノート型のパーソナルコンピュータ（以下、ＰＣという）をブロードバンドルータにワイヤレス接続して、複数台のノート型ＰＣをインターネットにアクセスでき、また、ノート型ＰＣを楽に移動できる。
【０００３】
携帯可能な小型電子機器であるノート型ＰＣやＰＤＡ（Ｐｅｒｓｏｎａｌ  Ｄｉｇｉｔａｌ  Ａｓｓｉｓｔａｎｔｓ）等は、無線電波を送受信するアンテナが筐体内部に設置され、更に受信効率を良くするため、筐体にスイッチ機構付きの同軸コネクタを設け、この同軸コネクタに外部アンテナを接続することにより、内部アンテナと外部アンテナが切り換え可能とし、内部アンテナで無線電波を送受信することが難しい場合は、外部アンテナで無線電波が送受信される。これらノート型ＰＣやＰＤＡは、筐体に内部アンテナを含まず、当該筐体に取り付けられる無線ＬＡＮ用コネクタに外部アンテナを接続する機種もある。
【０００４】
このような無線ＬＡＮにおいて、ＩＥＥＥ（米国電気電子学会）がＩＥＥＥ  ８０２．１１ａで規格している高速無線ＬＡＮ用の５．２ＧＨｚ周辺周波数帯域の電波を送受信する電子機器は、ＦＣＣ（Ｆｅｄｅｒａｌ  Ｃｏｍｍｕｎｉｃａｔｉｏｎｓ  Ｃｏｍｍｉｓｓｉｏｎ：米国通信委員会）が、「各々のメーカーの無線ＬＡＮ用コネクタはカスタマイズする必要がある」と規定している。
【０００５】
ＦＣＣによる前述の規定は内部アンテナには適用されないが、外部アンテナを接続する同軸プラグと、この同軸プラグが着脱され、機器に取り付けられる同軸リセプタクルとからなるアンテナ用コネクタが構造上、限定・特定されていないとＦＣＣの認証が受けられないことになっている。
【０００６】
つまり、アンテナ用コネクタは各メーカーが固有の構造を有する必要があり、ユーザーが他社の外部アンテナを接続することを排除する構造が求められる。このため、同軸プラグの挿入端外周にキーを設け、同軸リセプタクルの挿入口にキー溝を設け、キーとキー溝が嵌合することによりアンテナ用コネクタを固有化することが実施されている。
【０００７】
同軸プラグの挿入端外周にキーを設け、同軸リセプタクルの挿入口にキー溝を設け、キーとキー溝が嵌合し、さらに、同軸プラグに保持されるカップリング袋ナットと、同軸リセプタクルの外周に形成される雄ねじがねじ結合することにより、同軸プラグと同軸リセプタクルの接続を確実にする同軸コネクタが開示されている（例えば、特許文献１）。
【０００８】
【特許文献１】
特開平９−３０６６０３号公報
【０００９】
【発明が解決しようとする課題】
しかしながら、これら同軸プラグの挿入端外周にキーを設ける嵌合構造は、同軸リセプタクルの機器への配置によっては、キー溝の位置を見分けるのが難しく同軸プラグの挿入方向を特定できないことがある。
【００１０】
特に、最近のノート型ＰＣは筐体も薄くなっており、この筐体の側面に取り付けられる外部アンテナ用の同軸コネクタも必然的に小型化しており、キー溝の位置を見分けるのがいっそう困難になっている。
【００１１】
同軸リセプタクルに接続する同軸プラグのケーブルの引き出し口が、同軸プラグの挿入方向に対して直交する、いわゆる、ライトアングルコネクタ（Ｌ形コネクタとも呼ばれる）の場合は、キー溝で挿入方向が限定されると、同軸プラグの挿入が困難なときもある。
【００１２】
前述のＦＣＣの規定はキーとキー溝による固有構造を必ずしも奨励するものではなく、小型化した外部アンテナ用の同軸コネクタにおいて、ＦＣＣの規定に沿った固有構造を有し、操作性のよい新たな嵌合構造が求められている。
【００１３】
本発明は、上述した課題を解決すべく、外部アンテナが接続される電子機器等に有効であって、外部アンテナが接続されている同軸プラグを操作性よく同軸リセプタクルに着脱できるアンテナ用コネクタを提供することを目的とする。
【００１４】
【課題を解決するための手段】
発明者は、上記目的を満たすため、以下のような新たなアンテナ用コネクタを発明した。
【００１５】
（１）  同軸ケーブルの一端にアンテナが接続されており、当該同軸ケーブルの他端にプラグが接続されており、当該プラグがリセプタクルに着脱されるアンテナ用コネクタであって、前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第１プラグハウジングと、を備えており、前記リセプタクルは、前記第１プラグハウジングから延出しているピンコンタクトが入る挿入穴と前記筒形シェルの挿入部が入る環状溝とが同心円状に形成されている絶縁性の第１リセプタクルハウジングと、前記挿入穴から突出した前記ピンコンタクトと接触する弾性コンタクトと、前記筒形シェルの挿入部の外周に接触する第１グランドシェルと、を備えており、前記第１プラグハウジングは、前記第１リセプタクルハウジングへの挿入側端面に前記筒形シェルの内径より小さい直径の外周を有する第１円筒凸部を更に備えており、前記第１リセプタクルハウジングは、前記第１円筒凸部と嵌め合わされる第１円筒凹部を前記挿入穴における前記プラグの挿入側に形成するとともに当該第１円筒凹部を当該挿入穴と同心円状に配置しており、前記第１プラグハウジングの第１円筒凸部と前記第１リセプタクルハウジングの第１円筒凹部が嵌合することを特徴とするアンテナ用コネクタ。
【００１６】
（２）  同軸ケーブルの一端にアンテナが接続されており、当該同軸ケーブルの他端にプラグが接続されており、当該プラグがリセプタクルに着脱されるアンテナ用コネクタであって、前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第２プラグハウジングと、を備えており、前記リセプタクルは、前記第２プラグハウジングから延出しているピンコンタクトが入る挿入穴と前記筒形シェルの挿入部が入る環状溝とが同心円状に形成されている絶縁性の第２リセプタクルハウジングと、前記挿入穴から突出した前記ピンコンタクトと接触する弾性コンタクトと、前記筒形シェルの挿入部の外周に接触する第１グランドシェルと、を備えており、前記第２プラグハウジングは、前記第２リセプタクルハウジングへの挿入側端面に前記筒形シェルの内径より小さい直径の内径を有する第２円筒凹部を形成しており、前記第２リセプタクルハウジングは、前記第２円筒凹部と嵌め合わされる第２円筒凸部を前記挿入穴における前記プラグの挿入側に更に備えるとともに当該第２円筒凸部を当該挿入穴と同心円状に配置しており、前記第２プラグハウジングの第２円筒凹部と前記第２リセプタクルハウジングの第２円筒凸部が嵌合することを特徴とするアンテナ用コネクタ。
【００１７】
（３）  （１）又は（２）のいずれかに記載のアンテナ用コネクタにおいて、前記筒形シェルは当該挿入部においてその外周に環状凹部を設けており、前記第１グランドシェルは挿入される前記筒形シェルの外周を屈曲部で圧接する第１弾性接触片を備えており、前記プラグを前記リセプタクルに挿入した状態では、前記第１弾性接触片における当該屈曲部が前記環状凹部に係止して前記プラグが前記リセプタクルから抜けるのを防止することを特徴とするアンテナ用コネクタ。
【００１８】
（４）  （３）記載のアンテナ用コネクタにおいて、前記第１グランドシェルは挿入される前記筒形シェルの外周を対向して配置されている屈曲部で圧接する一対の第１弾性接触片を備えており、前記プラグを前記リセプタクルに挿入した状態では、前記一対の第１弾性接触片における当該対向配置されている屈曲部が前記環状凹部に係止して前記プラグが前記リセプタクルから抜けるのを防止することを特徴とするアンテナ用コネクタ。
【００１９】
（５）  （４）記載のアンテナ用コネクタにおいて、前記リセプタクルは、前記筒形シェルの挿入部の内周に接触する第２グランドシェルを更に備えており、前記第２グランドシェルは、挿入される前記筒形シェルの内周を相反して配置されている屈曲部で圧接する一対の第２弾性接触片を備えており、前記プラグを前記リセプタクルに挿入した状態では、前記筒形シェルの外周と内周は、前記第１グランドシェルにおける当該第１弾性接触片と、前記第２グランドシェルにおける当該第２弾性接触片で二重に接触されることを特徴とするアンテナ用コネクタ。
【００２０】
（６）  （１）から（５）のいずれかに記載のアンテナ用コネクタにおいて、前記弾性コンタクトと組となって接触している固定コンタクトを前記リセプクル内に更に備えており、前記ピンコンタクトが前記挿入穴に挿入されると、当該挿入穴から突出した当該ピンコンタクトによって当該弾性コンタクが変位することにより当該弾性コンタクトと前記固定コンタクトとの接触が解除されることを特徴とするアンテナ用コネクタ。
【００２１】
（７）  （１）から（６）のいずれかに記載のアンテナ用コネクタにおいて、無線ＬＡＮ用の情報機器において、外部アンテナを接続するために適用されることを特徴とするアンテナ用コネクタ。
【００２２】
（８）  （１）から（６）のいずれかに記載のアンテナ用コネクタにおいて、ＩＥＥＥ  ８０２．１１ａで規格されている固有性を有する高速無線ＬＡＮ用の外部アンテナ用コネクタであることを特徴とするアンテナ用コネクタ。
【００２３】
この発明は、「同軸ケーブルの一端にアンテナが接続されており、当該同軸ケーブルの他端にプラグが接続されており、当該プラグがリセプタクルに着脱されるアンテナ用コネクタであって、前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第１プラグハウジングと、を備えており、前記リセプタクルは、前記第１プラグハウジングから延出しているピンコンタクトが入る挿入穴と前記筒形シェルの挿入部が入る環状溝とが同心円状に形成されている絶縁性の第１リセプタクルハウジングと、前記挿入穴から突出した前記ピンコンタクトと接触する弾性コンタクトと、前記筒形シェルの挿入部の外周に接触する第１グランドシェルと、を備えており、前記第１プラグハウジングは、前記第１リセプタクルハウジングへの挿入側端面に前記筒形シェルの内径より小さい直径の外周を有する第１円筒凸部を更に備えており、前記第１リセプタクルハウジングは、前記第１円筒凸部と嵌め合わされる第１円筒凹部を前記挿入穴における前記プラグの挿入側に形成するとともに当該第１円筒凹部を当該挿入穴と同心円状に配置しており、前記第１プラグハウジングの第１円筒凸部と前記第１リセプタクルハウジングの第１円筒凹部が嵌合する」ことを特徴としてよい。
【００２４】
「アンテナ」は機器の外部に設置される外部アンテナであってよく、例えば、線状アンテナであってよく、ホイップアンテナであってもよい。そして、「アンテナ」の送受信端子が同軸ケーブルの内部導体に接続されており、「アンテナ」のグランド端子が同軸ケーブルの外部導体に接続されている。
【００２５】
同軸ケーブルの内部導体である心線は、ピンコンタクトの挿入端と反対側の端部にはんだで固定されてよく、同軸ケーブルの外部導体である編組線は、筒形シェルの挿入端と反対側の端部にクランプされて固定されてよい。そして、プラグは、挿入部と同軸ケーブル間が絶縁性のブーツでオーバーモルドされてよく、このブーツが把持されて、当該プラグがリセプタクルに着脱される。
【００２６】
第１プラグハウジングは中心にピンコンタクトが圧入されて固定されてよく、第１プラグハウジングの外周は、プラグの挿入側端部と反挿入側端部にそれぞれ切り欠き溝が形成されており、第１プラグハウジングは中心に向かって突出するディンプル及び、中心に向かって折り曲げられた部分折り曲げ片を有し、当該切り欠き溝が前記ディンプル及び前記部分折り曲げ片で係止され、第１プラグハウジングは筒形シェルに保持されている。
【００２７】
「ピンコンタクト」は、「挿入穴」によって挿入方向のみに運動が規制されると考えてよい。「弾性コンタクト」は板ばねであってよく、「挿入穴」により規制されて突出した「ピンコンタクト」に「弾性コンタクト」の可動部が当接することにより、「弾性コンタクト」の可動部が「ピンコンタクト」の中心軸から遠ざかる方向に変位する。そして、「弾性コンタクト」の可動部が「ピンコンタクト」に一定の接触圧を付与して「弾性コンタクト」と「ピンコンタクト」が電気的に接続される。
【００２８】
「弾性コンタクト」と組となって接触している固定コンタクトを、このリセプタクル内に設けてよく、前記固定コンタクトは例えば機器の内部アンテナに接続されており、「ピンコンタクト」が挿入されることにより「弾性コンタクト」と前記固定コンタクトとの接触が解除されるようにしてもよい。つまり、このリセプタクルを内部アンテナと外部アンテナを切り換えるスイッチ機構付きのリセプタクルとしてもよい。
【００２９】
また、このリセプタクルにプリント基板を配置し、「弾性コンタクト」の固定部を前記プリント基板の信号パターンにはんだで固定してよく、第１グランドシェルと第２グランドシェルの後端を前記プリント基板のグランドパターンにはんだで固定してよい。
【００３０】
この発明によるアンテナ用コネクタは、第１プラグハウジングの第１円筒凸部と第１リセプタクルハウジングの第１円筒凹部が嵌合することにより、当該プラグと当該リセプタクルが接続される固有構造を実現しており、従来のようにキー又はキー溝を位置合わせする必要がなくなり、プラグの円周方向の位置に関わりなくなく、プラグをリセプタクルに容易に挿入することができる。
【００３１】
このアンテナ用コネクタは、無線ＬＡＮ用の情報機器において、外部アンテナを接続するために適用されてよく、ＩＥＥＥ  ８０２．１１ａで規格されている固有性を有する高速無線ＬＡＮ用の外部アンテナ用コネクタであってよい。
【００３２】
この発明は、「同軸ケーブルの一端にアンテナが接続されており、当該同軸ケーブルの他端にプラグが接続されており、当該プラグがリセプタクルに着脱されるアンテナ用コネクタであって、前記プラグは、前記同軸ケーブルの内部導体に接続しているピンコンタクトと、前記同軸ケーブルの外部導体に接続しており、前記リセプタクルに挿入される環状の挿入部を有している筒形シェルと、当該ピンコンタクトを中心に保持しているとともに前記リセプタクルへの挿入方向に当該ピンコンタクトを延出しており、当該筒形シェルの挿入部と当該ピンコンタクトが同心円となるように当該筒形シェルに嵌装される絶縁性の第２プラグハウジングと、を備えており、前記リセプタクルは、前記第２プラグハウジングから延出しているピンコンタクトが入る挿入穴と前記筒形シェルの挿入部が入る環状溝とが同心円状に形成されている絶縁性の第２リセプタクルハウジングと、前記挿入穴から突出した前記ピンコンタクトと接触する弾性コンタクトと、前記筒形シェルの挿入部の外周に接触する第１グランドシェルと、を備えており、前記第２プラグハウジングは、前記第２リセプタクルハウジングへの挿入側端面に前記筒形シェルの内径より小さい直径の内径を有する第２円筒凹部を形成しており、前記第２リセプタクルハウジングは、前記第２円筒凹部と嵌め合わされる第２円筒凸部を前記挿入穴における前記プラグの挿入側に更に備えるとともに当該第２円筒凸部を当該挿入穴と同心円状に配置しており、前記第２プラグハウジングの第２円筒凹部と前記第２リセプタクルハウジングの第２円筒凸部が嵌合することを」ことを特徴としてよい。
【００３３】
第２プラグハウジングは中心にピンコンタクトが圧入されて固定されてよく、第２プラグハウジングの外周は、プラグの挿入側端部と反挿入側端部にそれぞれ切り欠き溝が形成されており、第２プラグハウジングは中心に向かって突出するディンプル及び、中心に向かって折り曲げられた部分折り曲げ片を有し、当該切り欠き溝が前記ディンプル及び前記部分折り曲げ片で係止され、第１プラグハウジングは筒形シェルに保持されている。
【００３４】
この発明によるアンテナ用コネクタは、第２プラグハウジングの第２円筒凹部と第２リセプタクルハウジングの第２円筒凸部が嵌合することにより、当該プラグと当該リセプタクルが接続される固有構造を実現しており、従来のようにキーにキー溝を位置合わせする必要がなくなり、プラグの円周方向の位置に関わりなくなく、プラグをリセプタクルに容易に挿入することができる。
【００３５】
このアンテナ用コネクタは、無線ＬＡＮ用の情報機器において、外部アンテナを接続するために適用されてよく、ＩＥＥＥ  ８０２．１１ａで規格されている固有性を有する高速無線ＬＡＮ用の外部アンテナ用コネクタであってよい。
【００３６】
この発明は、「（１）又は（２）のいずれかに記載のアンテナ用コネクタにおいて、前記筒形シェルは当該挿入部においてその外周に環状凹部を設けており、前記第１グランドシェルは挿入される前記筒形シェルの外周を屈曲部で圧接する第１弾性接触片を備えており、前記プラグを前記リセプタクルに挿入した状態では、前記第１弾性接触片における当該屈曲部が前記環状凹部に係止して前記プラグが前記リセプタクルから抜けるのを防止する」ことを特徴としてよい。
【００３７】
また、この発明は、「（３）記載のアンテナ用コネクタにおいて、前記第１グランドシェルは挿入される前記筒形シェルの外周を対向して配置されている屈曲部で圧接する一対の第１弾性接触片を備えており、前記プラグを前記リセプタクルに挿入した状態では、前記一対の第１弾性接触片における当該対向配置されている屈曲部が前記環状凹部に係止して前記プラグが前記リセプタクルから抜けるのを防止する」ことを特徴としてよい。
【００３８】
筒形シェルを第１グランドシェルに挿入すると、第１弾性接触片は筒形シェルに押し広げられて、第１弾性接触片は中心軸から遠ざかる方向に変位する。第１弾性接触片における屈曲部が環状凹部に一致すると、第１弾性接触片は筒形シェルへ付勢する力を残して屈曲部が環状凹部に嵌入する。
【００３９】
結合されたプラグをリセプタクルから抜き去るときは、屈曲部が環状凹部から外周へ乗り上げる強い力でプラグを引き抜くことにより、プラグとリセプタクルの結合を解除することができる。
【００４０】
このような第１弾性接触片の屈曲部と筒形シェルの外周に形成されている環状凹部とのハーフロック方式の嵌合構造は、プラグをどの回転位置から挿抜しても、その挿抜力は同じであり、この発明に適したハーフロック方式の嵌合構造である。
【００４１】
前記第１弾性接触片は一つであってもよく、対向するように一対の第１弾性接触片を配置してもよい。プラグの抜け防止がより確実であり、プラグとリセプタクルの接触をより確かなものにするためには、一対の第１弾性接触片を配置することが好ましい。
【００４２】
【発明の実施の形態】
以下に、本発明の実施の形態について図面に基づいて説明する。
【００４３】
図１は、本発明による第１の実施形態におけるアンテナ用コネクタ（以下、コネクタと略称する）の構成を示す斜視断面図である。図１の実施形態において、符号１はプラグ、符号２はプラグ１が着脱されるリセプタクルである。
【００４４】
図１において、同軸ケーブル１０の一端は図示されないアンテナが接続されており、同軸ケーブル１０の他端は丸型のプラグ１が接続されている。リセプタクル２は、例えばノート型ＰＣの側面に実装される角型のコネクタであって、アンテナ付きプラグ１がリセプタクル２に接続されることにより、例えば、ノート型ＰＣは外部アンテナから無線電波を送受信できる。
【００４５】
同軸ケーブル１０は、心線となる一本の内部導体１０Ａがポリエチレン等からなる絶縁体１０Ｂで覆われている。絶縁体１０Ｂは銅線編組からなる外部導体１０Ｃで覆われ、更に、外部導体１０Ｃの外周は絶縁体１０Ｄで被覆されている。
【００４６】
図１の実施形態に示されるように、同軸ケーブル１０の内部導体１０Ａは、ピンコンタクト１１の挿入端と反対側の端部にはんだで固定されることにより、内部導体１０Ａとピンコンタクト１１が接続されている。
【００４７】
一方、リセプタクル２に挿入される環状の挿入部１Ａを有している筒形シェル１２の後端部で、同軸ケーブル１０の外部導体１０Ｃがクランプされることにより、筒形シェル１２と外部導体１０Ｃが接続されている。
【００４８】
絶縁性の第１プラグハウジング１３は、ピンコンタクト１１を中心に保持しているとともに、リセプタクル２への挿入方向にピンコンタクト１１を延出しており、筒形シェル１２の挿入部１Ａとピンコンタクト１１が同心円となるように当該筒形シェル１２に嵌装されている。
【００４９】
これら同軸ケーブル１０と、ピンコンタクト１１と、筒形シェル１２と、第１プラグハウジング１３を備えるプラグ１は、挿入部１Ａと同軸ケーブル１０間が絶縁性のブーツ１０Ｅでオーバーモルドされており、このブーツ１０Ｅが把持されて、当該プラグ１がリセプタクル２に着脱される。
【００５０】
リセプタクル２は、絶縁性の第１リセプタクルハウジング２１と、弾性コンタクト２３Ａと、第１グランドシェル２４と、第２グランドシェル２５とを備えている。
【００５１】
直方体状に形成される第１リセプタクルハウジング２１は、第１プラグハウジング１３から延出しているピンコンタクト１１が入る挿入穴２Ａと、筒形シェル１２の挿入部１Ａが入る環状溝２Ｂとが同心円状に形成されている。
【００５２】
弾性コンタクト２３Ａは、挿入穴２Ａから突出したピンコンタクト１１と接触するように配置されている。第１グランドシェル２４は、環状溝２Ｂに挿入された筒形シェル１２の挿入部１Ａの外周に接触するように配置されている。第２グランドシェル２５は、環状溝２Ｂに挿入された筒形シェル１２の挿入部１Ａの内周に接触するように配置されている。
【００５３】
図１の第１実施形態において、第１プラグハウジング１３は、第１リセプタクルハウジング２１への挿入側端面に筒形シェル１２の内径より小さい直径の外周を有する第１円筒凸部１３Ａを更に備えている。
【００５４】
一方、第１リセプタクルハウジング２１は、第１円筒凸部１３Ａと嵌め合わされる第１円筒凹部２１Ａを挿入穴２Ａにおけるプラグ１の挿入側に形成するとともに当該第１円筒凹部２１Ａを当該挿入穴２Ａと同心円状に配置している。
【００５５】
そして、第１プラグハウジング１３の第１円筒凸部１３Ａと、第１リセプタクルハウジング２１の第１円筒凹部２１Ａが嵌合することにより、プラグ１とリセプタクル２を結合することができる。
【００５６】
図１の実施形態において、筒形シェル１２は、挿入部１Ａの外周に環状凹部１Ｂを設けている。一方、第１グランドシェル２４は挿入される筒形シェル１２の外周を一対の屈曲部２４１及び２４２で圧接する一対の第１弾性接触片２４Ａ及び２４Ｂを備えている。
【００５７】
プラグ１をリセプタクル２に挿入した状態では、一対の第１弾性接触片２４Ａ及び２４Ｂの当該屈曲部２４１及び２４２が環状凹部１Ｂに係止して、プラグ１がリセプタクル２から抜けるのを防止する。
【００５８】
次に、本発明による第２の実施形態におけるアンテナ用コネクタを図２により説明する。図２は、第２の実施形態によるアンテナ用コネクタの構成を示す斜視断面図である。なお、図２の説明において、図１と同じ構成品は同符号を付しており、その構成は特に必要のある場合を除き、説明を割愛する。
【００５９】
図２において、絶縁性の第２プラグハウジング１４は、ピンコンタクト１１を中心に保持しているとともに、リセプタクル２への挿入方向にピンコンタクト１１を延出しており、筒形シェル１２の挿入部１Ａとピンコンタクト１１が同心円となるように当該筒形シェル１２に嵌装されている
【００６０】
これら同軸ケーブル１０と、ピンコンタクト１１と、筒形シェル１２と、第２プラグハウジング１４を備えるプラグ１は、挿入部１Ａと同軸ケーブル１０間が絶縁性のブーツ１０Ｅでオーバーモルドされており、このブーツ１０Ｅが把持されて、当該プラグ１がリセプタクル２に着脱される。
【００６１】
図２の第２実施形態において、リセプタクル２は、絶縁性の第２リセプタクルハウジング２２と、弾性コンタクト２３Ａと、第１グランドシェル２４と、第２グランドシェル２５とを備えている。
【００６２】
直方体状に形成される第２リセプタクルハウジング２２は、第２プラグハウジング１４から延出しているピンコンタクト１１が入る挿入穴２Ａと、筒形シェル１２の挿入部１Ａが入る環状溝２Ｂとが同心円状に形成されている。
【００６３】
図２の第２実施形態において、第２プラグハウジング１４は、第２リセプタクルハウジング２２への挿入側端面に筒形シェル１２の内径より小さい直径の内径を有する第２円筒凹部１４Ａを形成している。
【００６４】
一方、第２リセプタクルハウジング２２は、第２円筒凹部１４Ａと嵌め合わされる第２円筒凸部２２Ａを挿入穴２Ａにおけるプラグ１の挿入側に更に備えるとともに、第２円筒凸部２２Ａを当該挿入穴２Ａと同心円状に配置している。
【００６５】
そして、第２プラグハウジング１４の第２円筒凹部１４Ａと、第２リセプタクルハウジング２２の第２円筒凸部２２Ａが嵌合することにより、プラグ１とリセプタクル２を結合することができる。
【００６６】
図２の実施形態において、筒形シェル１２は挿入部１Ａにおいて、その外周に環状凹部１Ｂを設けている。一方、第１グランドシェル２４は挿入される筒形シェル１２の外周を一対の屈曲部２４１及び２４２で圧接する一対の第１弾性接触片２４Ａ及び２４Ｂを備えている。
【００６７】
プラグ１をリセプタクル２に挿入した状態では、一対の第１弾性接触片２４Ａ及び２４Ｂの当該屈曲部２４１及び２４２が環状凹部１Ｂに係止して、プラグ１がリセプタクル２から抜けるのを防止する。
【００６８】
次に、図１の作用を図３により説明する。図３（ａ）は図１におけるリセプタクル２の横断面図、図３（ｂ）は図１におけるリセプタクル２の縦断面図、図３（ｃ）は図１におけるプラグ１の縦断面図、図３（ｄ）は図３（ｃ）の平面図、図３（ｅ）は図３（ｃ）の背面図である。
【００６９】
図３（ｃ）に示されるように、ピンコンタクト１１はリセプタクル２の挿入側が小径の丸ピンになっており、先端部は円錐状に形成されている。ピンコンタクト１１は、リセプタクル２の挿入側と反対側が小径の丸ピンより大きい外径を有する第１の段付き棒になっており、この第１の段付き棒の後部が更に大きい外径を有する第２の段付き棒になっている。
【００７０】
この第２の段付き棒が第１プラグハウジング１３の端面に突き当たるように、ピンコンタクト１１は第１プラグハウジング１３に圧入される。また、ピンコンタクト１１の後端部は内部導体１０Ａの外径に見合った円弧溝が形成されており、この円弧溝に内部導体１０Ａがはんだで固定される。
【００７１】
図３（ｃ）においては、第１プラグハウジング１３の外周は、プラグ１の挿入側端部と反挿入側端部にそれぞれ切り欠き溝が形成されており、第１プラグハウジング１３は中心に向かって突出するディンプル１Ｃ及び、中心に向かって折り曲げられた部分折り曲げ片１Ｄを有している。当該切り欠き溝がディンプル１Ｃ及び部分折り曲げ片１Ｄで係止され、第１プラグハウジング１３は筒形シェル１２に保持されている。
【００７２】
また、絶縁体１０Ｂは筒状のフェルール１５が介装され、フェルール１５の外周が銅線編組からなる外部導体１０Ｃで覆われ、この外部導体１０Ｃがフェルール１５とともに筒形シェル１２の挿入部１Ａより外径の小さいクランプ部で圧着されることにより、外部導体１０Ｃと筒形シェル１２が電気的に接続される。
【００７３】
図３（ａ）又は図３（ｂ）に示されるように、リセプタクル２はピンコンタクト１１が挿入される挿入穴２Ａを有しており、挿入穴２Ａから突出したピンコンタクト１１と接触する弾性コンタクト２３Ａがリセプタクル２内に配置されている。
【００７４】
図３において、ピンコンタクト１１は、挿入穴２Ａによって挿入方向のみに運動が規制される。弾性コンタクト２３Ａは板ばねであって、挿入穴２Ａにより規制されて突出したピンコンタクト１１に弾性コンタクト２３Ａの可動部２３１が当接することにより、可動部２３１がピンコンタクト１１の中心軸から遠ざかる方向に変位する。そして、可動部２３１がピンコンタクト１１に一定の接触圧を付与して弾性コンタクト２３Ａとピンコンタクト１１が電気的に接続される。
【００７５】
図３の実施形態において、弾性コンタクト２３Ａと組となって接触している固定コンタクト２３Ｂが、このリセプタクル２内に設けられている。固定コンタクト２３Ｂは例えば、機器の内部アンテナに接続されており、ピンコンタクト１１が挿入されることにより弾性コンタクト２３Ａと固定コンタクト２３Ｂとの接触が解除される。つまり、このリセプタクル２は内部アンテナと外部アンテナを切り換えるスイッチ機構付きのリセプタクルとしている。
【００７６】
図３において、環状溝２Ｂの内径Ｄは、筒形シェル１２の挿入部１Ａの外径ｄより僅かに大きくなっている。プラグ１をリセプタクル２に挿入するときは、まず、環状溝２Ｂの内周に筒形シェル１２の挿入部１Ａの外周を合わせて、挿入する。
【００７７】
環状溝２Ｂに案内されて挿入されるプラグ１は、一定の進行段階になると、ピンコンタクト１１が挿入穴２Ａによって挿入方向に案内される。更にプラグ１を挿入すると、次に、第１円筒凸部１３Ａが第１円筒凹部２１Ａに嵌合する。そして、第１円筒凸部１３Ａの挿入端面が第１円筒凹部２１Ａの底面に当接して、挿入を停止する。
【００７８】
第１円筒凸部１３Ａの挿入端面が第１円筒凹部２１Ａの底面に当接した段階において、一対の第１弾性接触片２４Ａ及び２４Ｂにおける屈曲部２４１及び２４２が環状凹部１Ｂに一致している。第１弾性接触片２４Ａ及び２４Ｂは筒形シェル１２へ付勢する力を残して、屈曲部２４１及び２４２が環状凹部１Ｂに嵌入されることにより、プラグ１をリセプタクル２にロックしている。
【００７９】
このように、プラグ１を円周上の位置に注意を払うことなく、容易にリセプタクル２に挿入することができる。
【００８０】
次に、図２の作用を図４により説明する。図４（ａ）は図２におけるリセプタクル２の横断面図、図４（ｂ）は図２におけるリセプタクル２の縦断面図、図４（ｃ）は図２におけるプラグ１の縦断面図、図４（ｄ）は図４（ｃ）の平面図、図４（ｅ）は図４（ｃ）の背面図である。なお、図４の説明において、図３と重複する作用はその説明を割愛する。
【００８１】
図４において、環状溝２Ｂの内径Ｄは、筒形シェル１２の挿入部１Ａの外径ｄより僅かに大きくなっている。プラグ１をリセプタクル２に挿入するときは、まず、環状溝２Ｂの内周に筒形シェル１２の挿入部１Ａの外周を合わせて、挿入する。
【００８２】
環状溝２Ｂに案内されて挿入されるプラグ１は、一定の進行段階になると、ピンコンタクト１１が挿入穴２Ａによって挿入方向に案内される。更にプラグ１を挿入すると、次に、第２円筒凹部１４Ａが第２円筒凸部２２Ａに嵌合する。そして、第２円筒凹部１４Ａの底面が第２円筒凸部２２Ａの端面に当接して、挿入を停止する。
【００８３】
第２円筒凹部１４Ａの底面が第２円筒凸部２２Ａの端面に当接した段階において、一対の第１弾性接触片２４Ａ及び２４Ｂにおける屈曲部２４１及び２４２が環状凹部１Ｂに一致している。第１弾性接触片２４Ａ及び２４Ｂは筒形シェル１２へ付勢する力を残して、屈曲部２４１及び２４２が環状凹部１Ｂに嵌入されることにより、プラグ１をリセプタクル２にロックしている。
【００８４】
このように、プラグ１を円周上の位置に注意を払うことなく、容易にリセプタクル２に挿入することができる。
【００８５】
次に、この発明によるリセプタクル２の作用を図５により説明する。図５はリセプタクル２における要部部品の斜視分解組立図である。
【００８６】
図５の実施形態において、弾性コンタクト２３Ａは板ばねであり、可動部２３１はなだらかな屈曲面を形成している。前記屈曲面は曲率の大きい円弧であってもよい。可動部２３１と反対側の端部２３２は、その底面が図示されないプリント基板の信号パターンにはんだなどで固定される。可動部２３１には横設辺２３３が形成されており、横設辺２３３が固定コンタクト２３Ｂに弾性的に当接している。
【００８７】
固定コンタクト２３Ｂは平板であり、端部２３４は横設辺２３３が着脱する。端部２３４と反対側の端部２３５は、その底面が図示されないプリント基板の信号パターンにはんだなどで固定される。
【００８８】
導通性の第１グランドシェル２４は、倒立凹字状に形成されており、前部２４Ｃは、対向するように一対の第１弾性接触片２４Ａ及び２４Ｂを有している。これら第１弾性接触片２４Ａ及び２４Ｂは互いに遠ざかる方向に弾性変形可能としている。第１グランドシェル２４における後部２４Ｄに形成されているフランジ（鍔）は図示されないプリント基板のグランドパターンにはんだなどで固定されて接地する。
【００８９】
導通性の第２グランドシェル２５は前部２５Ａが円筒状に形成されており、後部２５Ｂは半円弧をもつＵの字状に形成されている。前部２５Ａは、相反するように一対の第２弾性接触片２５Ｃ及び２５Ｄを有している。これら第２弾性接触片２５Ｃ及び２５Ｄは互いに近づく方向に弾性変形可能としている。第２グランドシェル２５における後部２５Ｂの底面は図示されないプリント基板のグランドパターンにはんだなどで固定されて接地する。
【００９０】
これらの弾性コンタクト２３Ａと固定コンタクト２３Ｂと第１グランドシェル２４と第２グランドシェル２５は、例えば、図３に示されるように、第１リセプタクルハウジング２１に圧入されて一体化される。図３において、第２グランドシェル２５は、プラグ１の挿入方向から圧入され、弾性コンタクト２３Ａと固定コンタクト２３Ｂと第１グランドシェル２４は、プラグ１の挿入方向と反対方向から圧入される。
【００９１】
図５の実施形態において、第２グランドシェル２５はその円筒部が弾性コンタクト２３Ａと固定コンタクト２３Ｂを覆うように配置される。また、第１グランドシェル２４は第２グランドシェル２５を覆うように配置される。そして、第２グランドシェル２５における円筒と、第２グランドシェル２５における半円弧と、挿入穴２Ａ（図３参照）とは同心円を形成している。
【００９２】
また、第２グランドシェル２５における円筒の外径は、筒形シェル１２（図３参照）の内径より小さく形成されており、第１グランドシェル２４における対向する側壁の内壁間の間隔は筒形シェル１２の外径より大きく形成されている。
【００９３】
したがって、図３に示されるように、プラグ１をリセプタクル２の環状溝２Ｂに挿入すると、筒形シェル１２の外周と内周は、第１グランドシェル２４における第１弾性接触片２４Ａ及び２４Ｂと、第２グランドシェル２５における第２弾性接触片２５Ｃ及び２５Ｄで二重に接触するようにされており、プラグ１に接続されているアンテナにおけるグランドラインの接続を確実にしている。
【００９４】
次に、この発明によるリセプタクル２の実装配置を図６により説明する。図６はリセプタクル２の外観斜視図である。
【００９５】
図６の実施形態に示されるように、直方体状に形成されるリセプタクル２は、環状溝２Ｂの形成面にねじなどの締結具３が入る固定穴２０Ａが二つ形成されている。そして、固定穴２０Ａの延長には四角ボルト２０Ｂが配置されている。
【００９６】
図６におけるパネル４は、例えば、ＰＣの側面板又は背面パネルであり、リセプタクル２はパネル４を介して、締結具３でＰＣ内に設置される。
【００９７】
この発明によるアンテナ用コネクタは、例えば、無線ＬＡＮの機能をもち、外部アンテナと内部アンテナを切り換えることのできるノート型ＰＣ又はＰＤＡに用いられる。また、この発明による技術的思想によれば、これら以外の他の電子機器にも応用可能である。
【００９８】
ＩＥＥＥ  ８０２．１１ａで規格されている高速無線ＬＡＮ用の５．２ＧＨｚ周辺周波数帯域の電波を送受信するノート型ＰＣ又はＰＤＡは、外部アンテナ用コネクタにおいてＦＣＣの規格を満足することができる。
【００９９】
【発明の効果】
この発明によるアンテナ用コネクタは、プラグはリセプタクルへの挿入側端面に筒形シェルの内径より小さい直径の外周を有する円筒凸部を備えており、リセプタクルは、円筒凸部と嵌め合わされる円筒凹部をプラグの挿入側に形成しており、円筒凸部と円筒凹部が嵌合することによりプラグがリセプタクルに接続されるので、プラグを円周上の位置に注意を払うことなく、容易にリセプタクルに挿入することができる。
【図面の簡単な説明】
【図１】本発明による第１の実施形態におけるアンテナ用コネクタの構成を示す斜視断面図である。
【図２】本発明による第２の実施形態におけるアンテナ用コネクタの構成を示す斜視断面図である。
【図３】本発明における第１の実施形態の作用を説明する図である。
【図４】本発明における第２の実施形態の作用を説明する図である。
【図５】本発明におけるリセプタクルの要部部品の斜視分解組立図である。
【図６】本発明におけるリセプタクルの実装配置を説明するためのリセプタクルの外観斜視図である。
【符号の説明】
１  プラグ
１Ａ  挿入部
１Ｂ  環状凹部
１Ｃ  ディンプル
１Ｄ  部分折り曲げ片
２  リセプタクル
２Ａ  挿入穴
２Ｂ  環状溝
３  締結具
４  パネル
１０  同軸ケーブル
１０Ａ  内部導体
１０Ｂ  絶縁体
１０Ｃ  外部導体
１０Ｄ  絶縁体
１０Ｅ  ブーツ
１１  ピンコンタクト
１２  筒形シェル
１３  第１プラグハウジング
１３Ａ  第１円筒凸部
１４  第２プラグハウジング
１４Ａ  第２円筒凹部
１５  フェルール
２０Ａ  固定穴
２１  第１リセプタクルハウジング
２１Ａ  第１円筒凹部
２２  第２リセプタクルハウジング
２２Ａ  第２円筒凸部
２３Ａ  弾性コンタクト
２３Ｂ  固定コンタクト
２４  第１グランドシェル
２４Ａ・２４Ｂ  第１弾性接触片
２５  第２グランドシェル
２５Ｃ・２５Ｄ  第２弾性接触片
２３１  可動部
２４１・２４２  屈曲部
【図１】
2004356067.tif 000003
【図２】
2004356067.tif 000004
【図３】
2004356067.tif 000005
【図４】
2004356067.tif 000006
【図５】
2004356067.tif 000007
【図６】
2004356067.tif 000008